(57)【要約】【課題】  視聴者参加型番組の問いかけに対して車載機により車両ユーザから返答するに際して、返答の内容を客観的なものにして的確な状況判断に資する関連情報も自動的に提供できるようにする。【解決手段】  デジタル放送局６Ａからの放送信号を制御部１０で音声と返答の選択肢や送信先アドレスが含まれるデータ信号に分離し、選択肢をナビゲーション部の表示部５１に表示してユーザが選択する。制御部１０では、車両ＬＡＮ４を介して収集した問いかけに関連する車両情報を、車両の位置情報とともに無線通信部２０から放送局サーバ５へ送信する。【選択図】      図１
2005301774.tif 000002
【特許請求の範囲】
【請求項１】
放送された信号を受信する受信手段と、
受信した信号を音声信号と要求データ信号に分離する分離手段と、
前記音声信号に基づき音声を出力する音声提示手段と、
前記要求データ信号に基づいて車両内に設置された機器から車両情報を収集する収集手段と、
送信の指示を行うための操作手段と、
操作手段の操作に基づいて収集した車両情報を含む応答信号を送信する送信手段と、
を有する車載機を車両に備えたことを特徴とする車両情報提供装置。
【請求項２】
放送された信号を受信する受信手段と、
前記信号に基づき音声を出力する音声提示手段と、
放送局のエリアと周波数およびサーバの接続先アドレスを記憶する放送局情報記憶手段と、
該放送局情報記憶手段が記憶する放送局情報を参照して、選局している周波数と車両の現在位置からサーバの接続先アドレスを取得する接続先アドレス取得手段と、
送信の指示を行うための操作手段と、
ユーザが該操作手段を介してリクエストを入力すると、前記接続先アドレス取得手段が取得したサーバの接続先アドレスに接続し、前記サーバから要求データ信号を取得する信号取得手段と、
前記要求データ信号に基づいて車両内に設置された機器から車両情報を収集する収集手段と、
前記操作手段の操作に基づいて収集した車両情報を含む応答信号を送信する送信手段と、
を備える車載機を車両に備えたことを特徴とする車両情報提供装置。
【請求項３】
前記音声信号が問いかけを含み、
前記要求データ信号は前記問いかけに関連する車両情報を指定するものであることを特徴とする請求項１または２記載の車両情報提供装置。
【請求項４】
前記車両情報には車両の現在地情報が含まれることを特徴とする請求項１から３のいずれか１に記載の車両情報提供装置。
【請求項５】
前記操作手段は、前記問いかけに対する返答の候補を表示する表示手段と、ユーザが表示された前記候補を選択して返答を入力する入力手段とを含み、
入力された返答が前記応答信号に含まれることを特徴とする請求項３または４記載の車両情報提供装置。
【請求項６】
前記要求データ信号には、前記問いかけに対する返答の候補が含まれていることを特徴とする請求項３から５のいずれか１に記載の車両情報提供装置。
【請求項７】
前記要求データ信号には、前記応答信号の送信先アドレスが含まれていることを特徴とする請求項１から６のいずれかに記載の車両情報提供装置。
【請求項８】
前記車載機にユーザの個人情報を記憶する個人情報記憶手段をさらに備え、
前記応答信号にはこの個人情報が含まれることを特徴とする請求項１から７のいずれか１に記載の車両情報提供装置。
【請求項９】
前記車載機に個々に付与された車載機ＩＤを記憶する車載機ＩＤ記憶手段をさらに備え、
前記応答信号には前記車載機ＩＤが含まれ、送信経路の途中で当該車載機ＩＤがユーザの個人情報に置き換えられることを特徴とする請求項１から８のいずれか１に記載の車両情報提供装置。
【請求項１０】
前記問いかけが渋滞情報であって、返答が「渋滞」であるとき、
前記車両情報には現在時刻から所定時間前までの平均車速、最高車速、発進・停止回数のうち少なくともいずれか１つが含まれることを特徴とする請求項３から９のいずれか１に記載の車両情報提供装置。
【請求項１１】
前記問いかけが天気情報であって、返答が「雨」または「雪」であるとき、
前記車両情報には雨滴センサ情報、ワイパー動作情報、外気温度のうち少なくともいずれか１つが含まれることを特徴とする請求項３から１０のいずれか１に記載の車両情報提供装置。
【請求項１２】
前記車載機に目的地を入力する目的地入力手段をさらに備え、
前記問いかけが目的地であって、前記車載機に目的地が入力されている場合、
前記応答信号には前記車載機に入力されている目的地が含まれることを特徴とする請求項３から１１のいずれか１に記載の車両情報提供装置。
【請求項１３】
前記車載機に目的地までの経路を検索する経路検索手段をさらに備え、
前記応答信号には前記経路検索手段が検索した目的地までの経路が含まれることを特徴とする請求項１２記載の車両情報提供装置。
【請求項１４】
前記車載機に経由地を入力する経由地入力手段をさらに備え、
前記問いかけが目的地であって、前記車載機に経由地が入力されている場合、
前記応答信号には前記車載機に入力されている経由地が含まれることを特徴とする請求項３から１１のいずれか１に記載の車両情報提供装置。
【請求項１５】
前記車載機に、目的地を入力する目的地入力手段と、目的地の履歴情報を記憶する目的地履歴情報記憶手段とをさらに備え、
前記問いかけが目的地であって、前記車載機に目的地が入力されていない場合、
前記応答信号には前記目的地履歴情報記憶手段が記憶する目的地の履歴情報を検索して取得した目的地と同じ属性を持ち、かつ最も目的地にされた回数の多い目的地が含まれることを特徴とする請求項３から１１のいずれか１に記載の車両情報提供装置。
【発明の詳細な説明】
【技術分野】
【０００１】
本発明は、放送局が例えば視聴者参加型の番組の中などで問いかけを行い、番組を視聴した車両のユーザが車両情報の収集機能を有する車載機を介して問いかけに返答しながら放送局に車両情報を提供する車両情報提供装置に関する。
【背景技術】
【０００２】
従来より車両情報を取得するセンサを備えた車両（プローブカー）から情報を収集して他の車両に渋滞などの道路状況を知らせるシステムが提案されている。
このシステムは、例えば車両が一定距離を移動する間の所要時間や停車回数などの車両情報を解析して渋滞を検知するものである。
そして、例えば特開２００２−１５０４９５号公報には、渋滞発生などに対応する所定の条件のときだけ情報を送信するものが提案されている。
【特許文献１】特開２００２−１５０４９５号公報
【発明の開示】
【発明が解決しようとする課題】
【０００３】
しかしながら、所要時間や停車回数などを解析するというだけでは、走行場所（市街地や幹線道路、信号の多い場所や少ない場所）、ドライバの性格や運転技術、運転の状況（急ぐときやゆっくりドライブを楽しむとき）などによって異なり、そのためこれにより渋滞などの道路状況を的確に判断するのは困難である。
また、所定の条件のときだけ情報を送信するシステムでは、渋滞していないために情報が送られないのか、その道路を走行中の車両がいないために情報が送られないのか判断できない。
【０００４】
そこで、観光地周辺などの渋滞予測を的確に行うためにも、その近辺を走行中のドライバから渋滞や目的地に関する生の情報や意見を聴くのが最も効果的な方法であるが、そのためには、ドライバに電話やＦＡＸあるいは電子メールなどで状況を報告してもらう必要がある。
一方、渋滞に関して言えば、渋滞に対する感覚に個人差があり、状況が同じでも渋滞と感じる人もいれば、渋滞と感じない人もいる。そのため、ドライバの意見だけで渋滞を判断するのは難しく、とくに渋滞の程度を知ることはドライバの意見にバラツキがあるため、なおさら困難である。
【０００５】
したがって、ドライバの生の情報・意見を聴くとともに、車両情報も得て総合判断するのが好ましい。
しかしドライバから両方の情報を得ることは多大な手間が掛かるので、この方法で必要な情報を迅速に収集するのは実際上難しい。
したがって本発明は、上記問題点に鑑み、ドライバの報告に要する手間を軽減し、ドライバの意見をより客観的なものにして的確な状況判断を可能とする車両情報提供装置を提供することを目的とする。
【課題を解決するための手段】
【０００６】
本発明は、例えば視聴者参加型の番組の中などで司会者が情報の提供を呼びかけ、番組を視聴した車両のユーザが車両情報の収集機能を有する車載機を介してアンケートに応える形で問いかけに対する返答やリクエストの希望などと一緒に放送局が必要とする車両情報を返信するもので、放送された信号を受信する受信手段と、受信した信号を音声と音声以外の信号に分離する分離手段と、音声を提示する提示手段と、音声以外の信号に基づいて車両内に設置された機器から車両情報を収集する収集手段と、送信の指示を行うための操作手段と、操作手段の操作に基づいて収集した車両情報を含む応答信号を送信する送信手段とを有する車載機を車両に備えるものとした。
【発明の効果】
【０００７】
本発明は、放送された信号を受信した車載機が操作手段の操作に基づいて収集した車両情報を含む応答信号を送信するので、簡単な手続で放送局が必要としている情報を迅速に提供できるようになり、ユーザの返答だけでなく状況を客観的に判断するための車両情報も送信できるようになる。
【発明を実施するための最良の形態】
【０００８】
以下、本発明の実施の形態について説明する。
図１は、デジタル放送に対応した第１の実施例にかかる車両情報提供装置の構成を示すブロック図である。
放送信号には、データ放送用言語（ＢＭＬ）で記述されたデータ信号が含まれている。
車載機１は、送受信部２とナビゲーション部とからなっている。
送受信部２は、デジタル放送局６Ａからの電波を受信し、受信した車両のユーザが番組の司会者（ディスクジョッキー、以下ＤＪと称する）からの問いかけに対する返答を入力し、ＧＰＳ衛星３からの電波を受信して得た車両の位置情報と車両ＬＡＮ４を介して車内に設置したセンサから収集した車両情報を付加して無線通信により放送局サーバ５へ送信するものである。
【０００９】
送受信部２は、制御部１０、無線通信部２０、放送受信部３０、車両情報取得部４０で構成し、放送受信部３０がデジタル放送電波を受信し、番組内でＤＪからの問いかけがあると、制御部１０が放送信号をデコードしてＤＪの問いかけに対する返答の候補としての選択肢と送信先アドレスを取得し、同時に放送局が必要としている問いかけに関連する車両情報を識別する。
次にユーザが選択肢を選択して返答を入力すると、車両情報取得部４０が保持する車両情報のうち問いかけに関連する車両情報とナビゲーション部５０が保持する車両の位置情報をユーザの返答に付加して無線通信部２０が放送局サーバ５へ送信する。
【００１０】
制御部１０は、送信情報取得部１１、放送デコード部１２、車両情報選択部１３、車両情報解析部１４、ラジオネーム保持部１５、出力制御部１６、車両情報記憶部１７で構成する。
送信情報取得部１１は、放送局サーバ５へ送信する情報を取得する部分で、ユーザの返答や、ナビゲーション部５０が持っている車両の現在位置、個人情報記憶手段または車載機ＩＤ記憶手段としてのラジオネーム保持部１５に記憶されているラジオネームまたは車載機ＩＤ、車両情報選択部１３が識別した放送局が必要としているＤＪの問いかけと関連する車両情報などを取得する。また、ユーザの返答を入力する際に時間監視を行うための図示しないタイマを内蔵する。
【００１１】
放送デコード部１２は、放送受信部３０が受信したデジタル放送信号をデコードする部分で、デジタル放送信号をＤＪの声や音楽などの音声信号とＤＪの問いかけに対する返答の選択肢や送信先アドレスが含まれるデータ信号に分離する。
【００１２】
車両情報選択部１３は、放送デコード部１２でデコードされたデジタル放送信号に含まれる選択肢から、音声の中にＤＪからの問いかけが含まれているか、また、放送局がどのような情報を必要としているかを認識し、ユーザが選択した返答の選択肢から、放送局が必要としている情報に関連している車両情報を特定する。
車両情報解析部１４は、車両情報選択部１３がＤＪの問いかけと関係あると認識した車両情報のうち、解析が必要な車両情報を車両情報記憶部１７などから取得する。
【００１３】
ラジオネーム保持部１５は、メモリなどの記憶媒体で、ユーザの個人情報としてのラジオネームまたは車載機１個々を識別する車載機ＩＤを記憶するのに用いる。
出力制御部１６は、ナビゲーション部５０の入出力（表示部５１、音声出力部５４、操作部５６）を使い、ユーザに希望する放送局の選局をさせたり、選局された放送局の番組の音声を出力したり、車両情報選択部１３が取得した選択肢を画面に表示させたりする。
車両情報記憶部１７は、ＨＤなどの記憶媒体で、車両情報取得部４０が取得した車両情報を所定時間記憶する。
【００１４】
無線通信部２０は、携帯電話、ＰＨＳ、ＭＣＡ無線などの無線通信機であり、送信情報取得部１１が取得したユーザの返答の他に、車両の現在位置やラジオネームまたは車載機ＩＤ、車両情報などを放送局サーバ５に送信する。
無線通信部２０はさらに情報センタ２５とも通信可能となっている。情報センタ２５は、各車両の無線通信部２０および放送局サーバ５と情報の送受信を行なう通信装置２６と、記憶装置２８と、これらを制御する制御装置２７とを備えている。
放送受信部３０は、ラジオやテレビなどのデジタル放送電波を受信する。
車両情報取得部４０は、車両ＬＡＮ４と接続され、車速センサや雨滴センサなどから得られた車両情報を所定時間毎に取得し、車両情報記憶部１７に記憶する。
【００１５】
ナビゲーション部５０は、表示部５１、ＧＰＳ受信部５２、記憶部５３、音声出力部５４、ナビ制御部５５、操作部５６、電源管理部５７で構成し、ＧＰＳ衛星３からの電波をＧＰＳ受信部５２が受信し、その情報をもとにナビ制御部５５が現在地情報としての現在位置を計算する。
ナビ制御部５５はまた、記憶部５３から地図データを読み出して、現在位置周辺の地図を表示部５１に表示したり、経路検索手段としての経路検索機能を備え、目的地への経路を検索したりする。また、ＧＰＳだけなく、車速センサや振動ジャイロセンサによって車の移動量と移動方向を調べて位置情報を補正する。
また、目的地入力手段および経由地入力手段としての目的地入力機能および経由地入力機能を備え、あらかじめ設定した目的地や経由地を記憶部５３に記憶できるようになっている。
【００１６】
表示部５１は、液晶画面などのモニタであり、ナビ制御部５５の指示に従い、地図を表示したり、放送受信部３０が受信したＤＪの問いに対する選択肢や文字情報を表示する。
ＧＰＳ受信部５２は、車両の現在位置を検出するためにＧＰＳアンテナを介してＧＰＳ衛星３からの電波を受信する受信機である。
記憶部５３は、ＨＤなどの記憶媒体で、地図データを記憶する他、ユーザが操作部５６から入力した目的地や経由地に関する情報やナビ制御部５５が検索した目的地までの経路も記憶する。また、目的地履歴情報記憶手段として目的地の履歴情報も記憶する。
【００１７】
音声出力部５４は、ナビ制御部５５の指示に従い、音声による案内や、放送受信部３０が受信した放送の音声を出力する。
ナビ制御部５５は、操作部５６から入力された目的地までの経路検索やルートガイドを行うほか、制御部１０から出力を依頼された画像や音声の出力を表示部５１や音声出力部５４に指示する。
操作部５６は、ジョイスティックやリモコンなどの入力装置で、目的地の設定や、放送受信部３０が受信したＤＪの問いかけに対する返答を入力するのに使われる。
電源管理部５７は、車両のイグニションスイッチを介してバッテリー電源に接続され、ＡＣＣ信号に対応して装置全体の電源の管理を行う。図１では簡単のためナビ制御部５５への接続線のみ示してある。とくに図示しないが、作動停止のための電源スイッチも備えている。
【００１８】
図２は、車載機１における処理のメインフローを示すフローチャートである。
まず車載機が起動されて、ステップ１０１において、ユーザが希望する放送の選局を行うと、ステップ１０２において放送受信部３０がデジタル放送の受信を開始する。放送受信部３０は、受信した時分割多重化放送ストリーム（ＴＳパケット）を放送デコード部１２に送る。
次のステップ１０３において、放送デコード部１２がデコードを開始し、ＴＳパケットを音声信号とデータ信号に分離する。
そしてステップ１０４において、出力制御部１６が上記分離された音声信号をナビゲーション部５０に送出し、ナビ制御部５５を経由して音声出力部５４から放送の音声を出力する。
【００１９】
次のステップ１０５では、車両情報選択部１３がデータ放送用言語（ＢＭＬ）で記述されたデータ信号に、ＤＪからの問いかけを示すフラグがあるかどうかをチェックする。フラグが含まれていない間は判定し、ステップ１０５の処理を繰り返してＤＪの問いかけがあるまで待機する。
フラグにより問いかけがある場合は、ステップ１０６に進んで、車両情報選択部１３がフラグに記されているＩＤを取得する。同時に無線通信部２０がデータ信号に含まれる放送局サーバ５の送信先アドレスを取得する。
【００２０】
次のステップ１０７において、車両情報選択部１３は、取得したＩＤを基にＤＪの問いかけが「渋滞」、「天気」、「目的地」のいずれに該当するか、そして当該問いかけに関連して放送局が必要としている車両情報を識別する。併せて当該問いかけに対応する返答の「選択肢」もデータ信号から取得する。「選択肢」はＤＪからの問いかけがある場合のみ放送される。
【００２１】
ステップ１０８では、出力制御部１６がステップ１０７で識別した問いかけに対する返答の選択肢をナビゲーション部５０に送出し、ナビ制御部５５を経由して表示部５１に表示する。
ＤＪの問いかけには、「国道○号線、渋滞していますか？」などの渋滞に関する問いかけや「雨の降っている地域がありますか？」などの天気に関する問いかけや「日曜日の今日、どこに向かっていますか？」などの目的地に関する問いかけの他に、「次に放送する曲は、以下のどれが良いですか？」などのリクエストに関する問いかけがある。
これらの問いかけのうちリクエスト以外は、返答の内容に客観性をもたせるため、返答する際に放送局が必要とする車両情報が付加される。
【００２２】
選択肢には、ＤＪの問いかけが渋滞に関する問いかけであれば「渋滞している」（渋滞）、「渋滞していない」などがあり、天気に関する問いかけであれば「雨が降っている」（雨）、「雪が降っている」（雪）「雨、雪ではない」などがあり、目的地に関する問いかけであれば「遊園地」、「ショッピング」、「景勝地」などがある。
【００２３】
次のステップ１０９において送信情報取得部１１が時間監視用のタイマをスタートさせ、次のステップ１１０において所定時間経過したかどうか判定する。
所定時間経過しない場合は次のステップ１１１において出力制御部１６を経由して操作部５６からユーザの返答が入力されたかどうかを判定し、入力された場合は次のステップ１１２において入力に応じた処理を行い、入力されない場合はステップ１１０に戻り、出力制御部１６を経由して操作部５６からユーザの返答が入力されるまで待機する。
ステップ１１２の処理が終わったらステップ１０５に戻り、次のＤＪの問いかけがあるまで待機する。
ステップ１１０において所定時間経過した場合はステップ１１３において出力制御部１６を経由して表示部５１の表示を消去し、ステップ１０５に戻って再びＤＪの問いかけがあるまで待機する。
【００２４】
図３〜図６は、ステップ１１２における処理の詳細を示すフローチャートである。
まず、ステップ２０１において送信情報取得部１１が出力制御部１６を経由して操作部５６から入力されたユーザの返答を取得すると、ステップ２０２において、車両情報選択部１３が先のステップ１０７で識別した問いかけが「渋滞」であるかを判定し、「渋滞」であればステップ２０３に進み、「渋滞」でなければステップ３０１に進む。
【００２５】
次のステップ２０３において、先のステップ１１１で入力されたユーザの返答が「渋滞している」であるかをチェックし、「渋滞している」であれば、次のステップ２０４に進んで、車両情報解析部１４が車両情報記憶部１７に記憶されている所定時間前から最新に至る車速の平均を計算し、次のステップ２０５において、送信情報取得部１１がその平均車速を取得する。
ステップ２０３のチェックでユーザ入力が「渋滞している」でなければ、平均車速取得の処理をスキップしてステップ２０６へ進む。
ステップ２０６では、送信情報取得部１１がＧＰＳ受信部５２の情報をもとにナビ制御部５５が計算した車両の現在位置などの現在地情報を取得する。
【００２６】
次のステップ２０７では送信情報取得部１１がラジオネーム保持部１５に記憶されているユーザのラジオネームまたは車載機ＩＤを取得する。
次のステップ２０８では、無線通信部２０を経由して送信情報取得部１１が取得した上記情報（ユーザの返答、ユーザの返答が「渋滞している」であるときの平均車速、車両の現在位置、ユーザのラジオネームまたは車載機ＩＤ）を放送局サーバ５へ送信する。
車載機ＩＤはいったん情報センタ２５に送信され、情報センタにて車載機ＩＤの代わりに個人情報としてのラジオネームが付加された後、放送局サーバ５へ送信される。付加されたラジオネームは情報センタの記憶装置２８に記憶されるとともに、車両側ではラジオネーム保持部１５に記憶される。
ステップ２０８のあとは、ステップ１０５へ戻る。
【００２７】
つぎに、ステップ３０１では、車両情報選択部１３がメインフローのステップ１０７で識別した問いかけが「目的地」であるかをチェックする。問いかけが「目的地」であればステップ３０２に進み、「目的地」でなければステップ４０１へ進む。
ステップ３０２において、送信情報取得部１１はナビゲーション部５０の記憶部５３に目的地情報あるいは経由地情報が設定されているかどうかをチェックし、設定されていればステップ３０３において、記憶部５３に設定されている目的地情報あるいは経由地情報の名称または緯度経度をユーザの返答に付加するため取得し、その後ステップ３０８に進む。このとき、同時にナビゲーション部５０の記憶部５３に記憶されているナビ制御部５５が検索した目的地までの経路をユーザの返答に付加する。これにより、ユーザの手を煩わすことなく目的地情報が入力される。
【００２８】
ステップ３０２のチェックでナビゲーション部５０の記憶部５３に目的地情報あるいは経由地情報が設定されていなければ、ステップ３０４に進み、送信情報取得部１１が先のステップ２０１で取得したユーザの返答における目的地属性を参照して、次のステップ３０５において目的地の推定を行う。
ここで、目的地属性とは、ＤＪからの「日曜日の今日、皆さんはどこに向かっていますか？」など目的地に関する問いかけの答えとして「ショッピング」や「遊園地」のような目的地の属性を表すものである。答えとしてはこのほか、「旅行」や「ドライブ」など属性がなかったりはっきりしないものもある。
【００２９】
目的地属性が「ショッピング」や「遊園地」などの場合、ナビゲーション部５０の記憶部５３に記憶されている目的地情報の履歴を参照してそれと同じ属性を持ち、かつ最も目的地としての履歴が多い場所を推定目的地とする。
目的地が推定できた場合は、ステップ３０６においてその推定した目的地を目的地情報とする。
目的地が推定できない場合は、ステップ３０７においてユーザの返答を「目的地なし」とする。
目的地属性が「旅行」や「ドライブ」などの場合、またはそれと同じ属性を持つ場所が目的地情報の履歴にない場合は目的地が推定できないとする。
以上により、ナビゲーションに目的地や経由地が設定されてなくても、履歴情報がある場合は目的地情報の自動入力が可能となる。
【００３０】
ステップ３０６、３０７のあと、ステップ３０８へ進む。
ステップ３０８〜３１０は、先のステップ２０６〜２０８と同様である。
ステップ３１０において無線通信部２０を経由して、送信情報取得部１１から放送局サーバ５へユーザの返答とともに送信される車両情報は、目的地または推定目的地、車両の現在位置、ユーザのラジオネームまたは車載機ＩＤとなる。
ステップ３１０のあと、ステップ１０５へ戻る。
【００３１】
つぎに、ステップ４０１では、車両情報選択部１３がメインフローのステップ１０７で識別した問いかけが「天気」であるかをチェックし、「天気」であればステップ４０２に進み、「天気」でなければステップ５０１へ進む。
ステップ４０２では、ユーザの返答が「雨」または「雪」であるかをチェックし、「雨」または「雪」であれば、ステップ４０３において送信情報取得部１１が車両情報記憶部１７に記憶されている雨滴センサ情報を取得する。
雨滴センサ情報は、車両情報取得部４０が所定時間毎に雨滴センサから取得して車両情報記憶部１７に記憶している。
返答が「雨」または「雪」でなければ、雨滴センサ情報取得の処理をスキップしてステップ４０４へ進む。
【００３２】
ステップ４０４〜４０６は、先のステップ２０６〜２０８と同様である。ただし、ステップ４０６では、無線通信部２０を経由して送信情報取得部１１から放送局サーバ５へユーザの返答とともに送信される車両情報は、ユーザの返答が「雨」または「雪」であるときの雨滴センサ情報、車両の現在位置、ユーザのラジオネームまたは車載機ＩＤとなる。
ステップ４０６のあと、ステップ１０５へ戻る。
【００３３】
ステップ１０７で識別した問いかけが「渋滞」、「天気」、「目的地」のいずれにも該当せず、ステップ４０１から分岐したステップ５０１では、送信情報取得部１１がＧＰＳ受信部５２の情報をもとにナビ制御部５５が計算した車両の現在位置を取得する。このステップ５０１から５０３は、先のステップ２０６〜２０８と同様である。
ステップ５０３で無線通信部２０を経由して送信情報取得部１１から放送局サーバ５へ送信される車両情報は、車両の現在位置、ユーザのラジオネームまたは車載機ＩＤだけとなる。
ステップ５０３のあと、ステップ１０５へ戻る。
以上の処理によって、ユーザの返答とともに、放送局が必要とする車両情報が自動的に付加されて送信されることになる。
【００３４】
つぎに図７は、車載機１の電源管理の流れを示すフローチャートである。
電源管理は、送受信部２およびナビゲーション部５０内の処理と並列に動作し、各部の処理がいかなる場合においてもこのフローに従って電源管理が行われる。
まず、ステップ６０１において車載機１が起動されると、次のステップ６０２において電源管理部５７が電力の供給を開始する。
次のステップ６０３において電源スイッチがオフされたかどうか判定し、電源スイッチがオフされた場合はステップ６０５に移行し、オフされない場合は次のステップ６０４においてＡＣＣ信号がオフされたかどうか判定し、ＡＣＣ信号がオフされた場合は次のステップ６０５において電力の供給を停止して終了する。
オフされない場合はステップ６０３に戻り、電源スイッチがオフされるまで待機する。
【００３５】
本実施例では、図２のフローチャートのステップ１０１、１０２が発明における受信手段を構成し、ステップ１０３が分離手段を、ステップ１０４が提示手段を、ステップ１０８、１１１が操作手段を構成している。とくにステップ１０８は表示手段を、ステップ１１１は入力手段を構成している。
また、図３〜図６のフローチャートのステップ２０３〜２０６、ステップ３０２〜３０８、ステップ４０２〜４０４が収集手段を、ステップ２０８、３１０、４０６、５０３が送信手段を構成している。
さらに、ラジオネーム保持部が個人情報記憶手段と車載機ＩＤ記憶手段を兼ねている。
【００３６】
本実施例は以上のように構成され、デジタル放送局の電波をデコードして取得した問いかけに対する返答の選択肢をユーザが選択して返答を入力するので、ユーザが手間を掛けずに応答できるようになる。
また、デジタル放送局の電波をデコードして取得した送信先アドレスに返答を送信するので、ユーザが返答の送信先を調べて入力する手間を省くことができる。
選択肢や送信先アドレスが放送信号に含まれることにより、車載機１がこれらの情報を持つ必要がなくなり、状況に応じて容易に返答の選択肢や送信先アドレスを変更できるようになり、システムの保守性も向上する。
また、車両の位置情報や問いかけに関連する車両情報を返答に付加するので、収集側でより客観的な状況判断ができるようになる。
【００３７】
さらに、返答にラジオネームなどの個人情報が付加されるので、視聴者にフレンドリーな番組にすることができる。
また、返答を無線で送信するので、時間と場所に制約されることなく迅速に返答できるようになる。
さらに、ナビゲーション部５０の持つＧＰＳの位置認識機能を利用することにより、簡単に車両の現在位置を取得でき、同じくナビゲーション部の持つ音声出力機能や画面表示機能を共有することにより、部品点数を削減して車載機１の製造コストを抑えることができる。
【００３８】
なお、図３のフローにおけるステップ２０４では、車両情報解析部１４が車両情報記憶部１７に記憶されている所定時間前から最新に至る車速の平均を計算するものとしたが、この代わりに、所定時間内における最高速度を求め、次のステップ２０５において送信情報取得部１１が当該最高速度を取得して、放送局サーバ５へ送信するための車両情報としてもよい。
これにより、最高速度が所定速度以下になったときは渋滞と判断でき、また、速度に応じて渋滞の程度を認識できる。
【００３９】
あるいは、ステップ２０４において、平均車速を計算する代わりに、所定時間内における停車回数を計数して、これを放送局サーバ５へ送信するための車両情報としてもよい。
これにより、停車回数が所定回数以上になったときは渋滞と判断でき、また、停車回数に応じて渋滞の程度を認識できる。
目的地までの経路を付加することにより、渋滞予測の精度が向上する。
【００４０】
また、図５のフローにおけるステップ４０３では、送信情報取得部１１が車両情報記憶部１７に記憶されている雨滴センサ情報を取得するものとしたが、この代わりに、ワイパー動作情報（オン／オフ／間欠動作）や外気温度を取得するようにしてもよい。
これらの情報を送信することによって、ワイパー動作情報から「雨」または「雪」の判断ができ、ワイパー動作情報から「雨」または「雪」の強さを認識できる。同様に、外気温度によっても「雨」か「雪」の程度の判断ができる。
【００４１】
つぎに、第２の実施例としてアナログ放送に対応した車両情報提供装置について説明する。
図８は、第２の実施例の構成を示すブロック図で、図１と同一部分には同一符号を付してある。
車載機１Ａは、送受信部２Ａとナビゲーション部５０とからなっている。
送受信部２Ａは、制御部１０Ａ、無線通信部２０、放送受信部３０Ａ、車両情報取得部４０で構成する。
【００４２】
放送受信部３０Ａはアナログ放送局６Ｂからのテレビやラジオなどのアナログ放送電波を受信し、ユーザがリクエスト要求を行うと、制御部１０Ａが受信している放送局を認識し、該当する放送局サーバ５へアクセスし、放送局が必要としている車両情報の種別と返答の選択肢を取得する。
次にユーザが選択肢を選んで返答すると、車両情報取得部４０が保持する車両情報とナビゲーション部５０が保持する車両の位置情報をユーザの返答に付加して無線通信部２０が放送局サーバ５へ送信する。
【００４３】
制御部１０Ａは、送信情報取得部１１、選択肢取得部６１、放送局情報記憶部６２、車両情報解析部１４Ａ、ラジオネーム保持部１５、出力制御部１６Ａ、車両情報記憶部１７で構成する。
選択肢取得部６１は、ユーザがナビゲーション部５０の操作部５６からリクエスト要求を行った場合に、放送局情報記憶手段としての放送局情報記憶部６２の情報と、ナビゲーション部５０から取得する車両の位置情報とから、現在受信している放送局を特定し、無線通信部２０を経由して特定した放送局サーバ５に接続し、放送局が必要としている（ＤＪの問いかけに関連する）車両情報が何かということとＤＪの問いかけに対する選択肢を取得する。
【００４４】
放送局情報記憶部６２には、各放送局の周波数と受信エリア、および、各放送局サーバ５へアクセスするためのアドレスが記憶されている。
車両情報解析部１４Ａは、ＤＪの問いと関連して選択肢取得部６１が取得した放送局が必要としている車両情報のうち、解析が必要な車両情報を車両情報記憶部１７やナビゲーション部５０から取得して解析する。
出力制御部１６Ａは、ナビゲーション部５０の入出力（表示部５１、音声出力部５４、操作部５６）を使い、ユーザに希望する放送局の選局をさせたり、選局された放送を出力したり、選択肢取得部６１が取得した選択肢を表示させたりする。
【００４５】
無線通信部２０は、選択肢取得部６１の要求により、ユーザのリクエスト要求に基づきＤＪの問いかけに対する返答の選択肢と、関連する必要な車両情報を放送局サーバ５から取得する。
また、送信情報取得部１１が取得したユーザの返答の他に、車両の現在位置やラジオネームまたは車載機ＩＤ、車両情報などを放送局サーバ５に送信する。
【００４６】
図９は、第２の実施例の車載機１Ａにおける処理のメインフローを示すフローチャートである。
車載機が起動されて、ステップ７０１において、ユーザが希望する放送の選局を行うと、ステップ７０２において放送受信部８０がアナログ放送の受信を開始する。次のステップ７０３において出力制御部１６Ａが音声信号をナビゲーション部５０に送出し、ナビ制御部５５を経由して音声出力部５４から放送の音声を出力する。
音声出力開始後、ユーザが番組でＤＪからの問いかけを聴き、これに返答しようとするときは、返答の選択肢を求めるリクエスト要求を操作部５６から入力する。
【００４７】
次のステップ７０４において選択肢取得部６１がリクエスト要求の入力があるかどうかをチェックし、入力がなければステップ７０４の処理を繰り返す。
リクエスト要求の入力があると、ステップ７０５において、ＧＰＳ受信部５２が取得している車両の現在位置と放送受信部３０Ａが受信している受信周波数をキーにして放送局情報記憶部６２を検索し、放送局を特定して放送局サーバ５へ接続するためのアドレスを取得する。
これにより、ユーザが送信先アドレスを入力しなくても放送局サーバ５への接続が可能となる。
【００４８】
次のステップ７０６において、無線通信部２０が放送局サーバ５へアクセスして、ＤＪの問いかけに対する返答の選択肢と、ＤＪの問いかけに関連する車両情報が何かということとを取得する。
そしてステップ７０７において、出力制御部１６Ａは、ステップ７０６で取得した返答の選択肢をナビゲーション部５０に送出し、ナビ制御部５５を経由して表示部５１に表示する。
【００４９】
次のステップ７０８において、送信情報取得部１１が時間監視用のタイマをスタートさせ、次のステップ７０９において所定時間経過したかどうかチェックする。
所定時間経過しない場合は次のステップ７１０において出力制御部１６Ａで操作部５６からユーザの返答が入力されたかどうかをチェックし、入力された場合はステップ７１１に進む。ステップ７１１では、第１の実施例における図２のステップ１１２と同じ処理を行う。すなわち、詳しくは図３〜図６に示した処理が行われる。ただし、図３〜図６のフローにおける戻り先のステップ１０５は、ステップ７０４と読み替える。ステップ７０４に戻り、次のＤＪの問いかけがあるまで待機することになる。
返答の入力がない場合はステップ７０９に戻る。
ステップ７０９のチェックで所定時間経過した場合は、ステップ７１２に進み、出力制御部１６Ａを経由して表示部５１の表示を消去し、ステップ７０４に戻る。
その他の構成は、第１の実施例と同じである。
【００５０】
第２の実施例では、図９のフローチャートのステップ７０１、７０２が発明における受信手段を、ステップ７０３が提示手段を、ステップ７０５が接続先アドレス取得手段を、ステップ７０７、７１０が操作手段を構成している。とくにステップ７０７が表示手段を、ステップ７１０が入力手段を構成している。
また、第１実施例におけると同じく、図３〜図６のフローチャートのステップ２０３〜２０６、ステップ３０２〜３０８、ステップ４０２〜４０４が収集手段を、ステップ２０８、３１０、４０６、５０３が送信手段を構成し、ラジオネーム保持部が個人情報記憶手段と車載機ＩＤ記憶手段を兼ねている。
【００５１】
第２の実施例は以上のように構成され、車両の現在位置と受信周波数を基に放送局情報記憶部から受信中の放送局のサーバアドレスを求め、その放送局サーバから問いかけに対する返答の選択肢を取得するので、アナログ放送であっても容易に選択肢を入手できる。同じく、放送局情報記憶部から求めたアドレスに返答を送信するので、ユーザが返答の送信先を調べて入力する手間を省くことができる。
また、車両の位置情報や問いかけに関連する車両情報を返答に付加するので、収集側でより客観的な状況判断ができるようになる。
さらに、返答にラジオネームなどの個人情報を付加するので、視聴者にフレンドリーな番組にすることができる。
【００５２】
なお、第２の実施例では放送局情報記憶部６２を車載側の制御部１０Ａに備えるものとしたが、これに限定する必要はなく、変形例として、情報センタ２５の記憶装置２８に放送局情報記憶部６２の機能を持たせることもできる。
この変形例では、図９のステップ７０５における処理の代わりに、次のような処理となる。
まず、無線通信部２０が、ＧＰＳ受信部５２が取得している車両の現在位置と放送受信部３０Ａが受信している受信周波数および車載器ＩＤを情報センタ２５に対して送信する。
情報センタ２５では、通信装置２６がこの車両側からの情報を受信すると、制御装置２７が受信した車両の現在位置と受信周波数をキーとして記憶装置２８を検索して、対象となる放送局を特定し、放送局サーバ５にアクセスするためのアドレスを取得する。なお、車両側から受信した情報に含まれる車載器ＩＤを記憶装置２８に記憶する。
以上の処理が接続先アドレス取得手段を構成することになる。
【００５３】
次いで、図９のステップ７０６における処理の代わりに、情報センタの通信装置２６は、取得したアドレスを用いて放送局サーバ５へのアクセスを行い、ＤＪの問いかけに対する返答の選択肢と、ＤＪの問いかけに関連する車両情報が何かということに関する情報を取得する。そして、制御装置２７は、記憶装置２８に記憶されている車載器ＩＤを基に、放送局サーバ５から取得した情報を送信すべき送信先車両を特定する。
情報センタ２５の通信装置２６は、特定した車両に対して放送局サーバ５からの情報を送信する。
車両側では、この情報センタ２５からの情報を無線通信部２０で受けて、ステップ７０７の選択肢表示に進む。
【００５４】
なお、図９のステップ７１１内の各ステップ２０８、３１０、４０６および５０３（図３〜図６参照）における情報送信も、無線通信部２０から情報センタ２５を介して、放送局サーバ５へ送信される。
この変形例によっても、ユーザが返答の送信先を調べて入力する手間を省くことができる。
【図面の簡単な説明】
【００５５】
【図１】本発明の第１の実施例の構成を示すブロック図である。
【図２】車載機における処理のメインフローチャートである。
【図３】返答入力後の処理の詳細を示すフローチャートである。
【図４】返答入力後の処理の詳細を示すフローチャートである。
【図５】返答入力後の処理の詳細を示すフローチャートである。
【図６】返答入力後の処理の詳細を示すフローチャートである。
【図７】車載機の電源管理の処理を示すフローチャートである。
【図８】第２の実施例の構成を示すブロック図である。
【図９】第２の実施例におけるメインフローチャートである。
【符号の説明】
【００５６】
１、１Ａ    車載機
２          送受信部
３          ＧＰＳ衛星
４          車両ＬＡＮ
５          放送局サーバ
６Ａ        デジタル放送局
６Ｂ        アナログ放送局
１０、１０Ａ    制御部
１１        送信情報取得部
１２        放送デコード部
１３        車両情報選択部
１４、１４Ａ    車両情報解析部
１５        ラジオネーム保持部
１６、１６Ａ    出力制御部
１７        車両情報記憶部
２０        無線通信部
２５        情報センタ
２６        通信装置
２７        制御装置
２８        記憶装置
３０、３０Ａ    放送受信部
４０        車両情報取得部
５０        ナビゲーション部
５１        表示部
５２        ＧＰＳ受信部
５３        記憶部
５４        音声出力部
５５        ナビ制御部
５６        操作部
５７        電源管理部
６１        選択肢取得部
６２        放送局情報記憶部
【図１】
2005301774.tif 000003
【図２】
2005301774.tif 000004
【図３】
2005301774.tif 000005
【図４】
2005301774.tif 000006
【図５】
2005301774.tif 000007
【図６】
2005301774.tif 000008
【図７】
2005301774.tif 000009
【図８】
2005301774.tif 000010
【図９】
2005301774.tif 000011
【手続補正書】
【提出日】平成16年4月15日(2004.4.15)
【手続補正１】
【補正対象書類名】明細書
【補正対象項目名】００５６
【補正方法】変更
【補正の内容】
【００５６】
１、１Ａ    車載機
２、２Ａ    送受信部
３          ＧＰＳ衛星
４          車両ＬＡＮ
５          放送局サーバ
６Ａ        デジタル放送局
６Ｂ        アナログ放送局
１０、１０Ａ    制御部
１１        送信情報取得部
１２        放送デコード部
１３        車両情報選択部
１４、１４Ａ    車両情報解析部
１５        ラジオネーム保持部
１６、１６Ａ    出力制御部
１７        車両情報記憶部
２０        無線通信部
２５        情報センタ
２６        通信装置
２７        制御装置
２８        記憶装置
３０、３０Ａ    放送受信部
４０        車両情報取得部
５０        ナビゲーション部
５１        表示部
５２        ＧＰＳ受信部
５３        記憶部
５４        音声出力部
５５        ナビ制御部
５６        操作部
５７        電源管理部
６１        選択肢取得部
６２        放送局情報記憶部
【手続補正２】
【補正対象書類名】図面
【補正対象項目名】図８
【補正方法】変更
【補正の内容】
【図８】
2005301774.tif 000012